(57)【要約】【課題】リモコンを操作する操作性を向上するとともに、視認性を向上させることができることを目的とする。【解決手段】浴室等を空調する換気空調装置用リモコンにおいて、本体の運転状態の表示や運転設定を確認するための液晶表示部分１と、運転モードを選択するための運転モード選択スイッチ２と、各運転モードにおける詳細な運転設定を行なうための運転詳細設定スイッチ３と、運転を停止するための切スイッチ４とを備えたことにより、運転モード選択スイッチ２を押すことで液晶表示部分１に選択した運転モードを表示するとともに、選択された運転モードにて選択可能な詳細運転設定を表示でき、また、運転詳細設定スイッチ３を押すことにより各運転モードにおける詳細設定を容易に行なうことが可能となる浴室換気空調装置用リモコンを提供できる。【選択図】図１
2009276037.tif 000002
【特許請求の範囲】
【請求項１】
浴室等を空調する換気空調装置において、本体の運転状態の表示や運転設定を確認するための液晶表示部分と、運転モードを選択するための運転モード選択スイッチと、各運転モードにおける詳細な運転設定を行なうための運転詳細設定スイッチと、運転を停止するための切スイッチとを備えたことを特徴とする浴室換気空調装置用リモコン。
【請求項２】
液晶表示部分を、複数のエリアに分割し、それぞれのエリアに運転詳細設定の項目を割り付けて表示するようにしたことを特徴とする請求項１に記載の浴室換気空調装置用リモコン。
【請求項３】
運転詳細設定スイッチを、液晶表示部分の分割された各エリアに対応させて配置したことを特徴とする請求項１または２に記載の浴室換気空調装置用リモコン。
【請求項４】
各エリアに、運転詳細設定スイッチにて選択可能な項目を表示させ、運転詳細設定スイッチを押すことにより液晶表示部分に表示されているいずれかの項目を選択できることを特徴とする請求項３に記載の浴室換気空調装置用リモコン。
【請求項５】
各エリアに、現在の詳細設定項目のみを表示させ、運転詳細設定スイッチを押すことにより詳細設定項目表示が順次切り換わることを特徴とする請求項３に記載の浴室換気空調装置用リモコン。
【請求項６】
液晶表示部分の分割された各エリアのうち、あるエリアは運転詳細設定スイッチにて選択可能な項目を表示させ、運転詳細設定スイッチを押すことによりいずれかの項目を選択でき、また別のあるエリアは現在の詳細設定項目のみを表示させ、運転詳細設定スイッチを押すことにより詳細設定項目表示が順次切り換わることを特徴とする請求項３に記載の浴室換気空調装置用リモコン。
【請求項７】
運転モード選択スイッチにより、選択した運転モードによって液晶表示部分の分割された各エリアに表示させる内容を変更することを特徴とする請求項１に記載の浴室換気空調装置用リモコン。
【請求項８】
運転詳細設定スイッチにより選択された液晶表示部分の各エリアに表示している選択項目を、ハイライト表示や反転表示などの強調表示を行なうことを特徴とする請求項１〜６のいずれかに記載の浴室換気空調装置用リモコン。
【請求項９】
運転モード選択スイッチおよび運転詳細設定スイッチへの入力操作が行なわれると同時に液晶表示部分のバックライトが点灯することを特徴とする請求項１〜８のいずれかに記載の浴室換気空調装置用リモコン。
【請求項１０】
運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する選択内容表示モードに移行することを特徴とする請求項１〜９のいずれかに記載の浴室換気空調装置用リモコン。
【請求項１１】
運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する運転状態表示モードに移行し、さらに一定時間リモコンへの入力操作が無かった場合には液晶表示部分のバックライトを消灯することを特徴とする請求項１〜１０のいずれかに記載の浴室換気空調装置用リモコン。
【請求項１２】
切スイッチ入力時や切タイマー機能により運転が停止された場合、液晶表示部分の表示が運転状態表示モードから待機モードへ移行することを特徴とする請求項１〜１１のいずれかに記載の浴室換気空調装置用リモコン。
【発明の詳細な説明】
【技術分野】
【０００１】
本発明は、浴室などの換気空調を行う浴室換気空調装置のリモコンに関する。
【背景技術】
【０００２】
従来の浴室などの換気空調を行う浴室換気空調装置のリモコンとしては、換気、暖房、乾燥、涼風、風向、タイマーなど各機能により各々スイッチを設けている構成であり、各スイッチが複数回の入力により強、弱などの運転モードを切り換える機能を持ち、また、換気空調をおこなう対象空間が複数ある場合は、各空間に対して同様の機能のスイッチを設けている構成となっていることから、操作パネル上に数多くのスイッチが配列されており、さらに運転状態やタイマー等の表示部分を設けているものがある（例えば、特許文献１参照）。
【特許文献１】特開２００４−２００５７号公報
【発明の開示】
【発明が解決しようとする課題】
【０００３】
このような従来の浴室換気空調装置用リモコンでは、機器の多機能化にともないリモコン上のスペースに配置できるスイッチが限られるため操作性が悪くなり、また、１つのスイッチに複数の機能を持たせており操作が分かりづらく、また、リモコン上の限られたスペースに多くのスイッチがあることおよび運転状態やタイマー等の表示部分が小さいことにより視認性が悪いという課題がある。
【０００４】
本発明は、このような従来の課題を解決するものであり、リモコンを操作する操作性を向上するとともに、視認性を向上させることができる浴室換気空調装置用リモコンを提供することを目的とする。
【課題を解決するための手段】
【０００５】
本発明の浴室換気空調装置用リモコンは、上記目的を達成するために、浴室等を空調する換気空調装置において、本体の運転状態の表示や運転設定を確認するための液晶表示部分と、運転モードを選択するための運転モード選択スイッチと、各運転モードにおける詳細な運転設定を行なうための運転詳細設定スイッチと、運転を停止するための切スイッチとを備えたものである。
【０００６】
また、他の手段は、液晶表示部分を、複数のエリアに分割し、それぞれのエリアに運転詳細設定の項目を割り付けて表示するようにしたものである。
【０００７】
また、他の手段は、運転詳細設定スイッチを、液晶表示部分の分割された各エリアに対応させて配置したものである。
【０００８】
また、他の手段は、各エリアに、運転詳細設定スイッチにて選択可能な項目を表示させ、運転詳細設定スイッチを押すことにより液晶表示部分に表示されているいずれかの項目を選択できるものである。
【０００９】
また、他の手段は、各エリアに、現在の詳細設定項目のみを表示させ、運転詳細設定スイッチを押すことにより詳細設定項目表示が順次切り換わるものである。
【００１０】
また、他の手段は、各エリアは、運転詳細設定スイッチにて選択可能な項目を表示させ、運転詳細設定スイッチを押すことによりいずれかの項目を選択でき、あるエリアは現在の詳細設定項目のみを表示させ、転詳細設定スイッチを押すことにより詳細設定項目表示が順次切り換わるものである。
【００１１】
また、他の手段は、運転モード選択スイッチにより、選択した運転モードによって液晶表示部分の分割された各エリアに表示させる内容を変更するものである。
【００１２】
また、他の手段は、運転詳細設定スイッチにより選択された液晶表示部分の各エリアに表示している選択項目を、ハイライト表示や反転表示などの強調表示を行なうものである。
【００１３】
また、他の手段は、運転モード選択スイッチおよび運転詳細設定スイッチへの入力操作が行なわれると同時に液晶表示部分のバックライトが点灯するものである。
【００１４】
また、他の手段は、運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する選択内容表示モードに移行するものである。
【００１５】
また、他の手段は、運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する運転状態表示モードに移行し、さらに一定時間リモコンへの入力操作が無かった場合には液晶表示部分のバックライトを消灯するものである。
【００１６】
また、他の手段は、切スイッチ入力時や切タイマー機能により運転が停止された場合、液晶表示部分の表示が運転状態表示モードから待機モードへ移行するものである。
【発明の効果】
【００１７】
本発明によれば、浴室等を空調する換気空調装置において、本体の運転状態の表示や運転設定を確認するための液晶表示部分と、運転モードを選択するための運転モード選択スイッチと、各運転モードにおける詳細な運転設定を行なうための運転詳細設定スイッチと、運転を停止するための切スイッチとを備えたことにより、運転モード選択スイッチを押すことで液晶表示部分に選択した運転モードを表示するとともに、選択された運転モードにて選択可能な詳細運転設定を表示でき、また、運転詳細設定スイッチを押すことにより各運転モードにおける詳細設定を容易に行なうことが可能となるという効果のある浴室換気空調装置用リモコンを提供することができる。
【００１８】
また、液晶表示部分を、複数のエリアに分割し、それぞれのエリアに運転詳細設定の項目を割り付けて表示するようにしたことにより、各エリアに各項目の設定が対応しており容易に設定を行なうことができるという効果のある浴室換気空調装置用リモコンを提供することができる。
【００１９】
また、運転詳細設定スイッチを、液晶表示部分の分割された各エリアに対応させて配置したことにより、複数のエリアに分割された液晶表示部分に一対一で対応させた運転詳細設定スイッチを配置することにより、各エリアの運転詳細設定を各エリアに対応した運転詳細設定スイッチででき、運転詳細設定操作が容易になるという効果のある浴室換気空調装置用リモコンを提供することができる。
【００２０】
また、各エリアに、運転詳細設定スイッチにて選択可能な項目を表示させ、運転詳細設定スイッチを押すことにより液晶表示部分に表示されているいずれかの項目を選択できることにより、リモコンの操作者に選択可能な項目を認識させることができ、運転詳細設定スイッチを押すことにより液晶表示部分に表示されているいずれかの項目を容易に選択できるという効果のある浴室換気空調装置用リモコンを提供することができる。
【００２１】
また、各エリアに、現在の詳細設定項目のみを表示させ、運転詳細設定スイッチを押すことにより詳細設定項目表示が順次切り換わることにより、リモコンの操作者に選択可能な項目を認識させることができ、その中のいずれかの項目を容易に選択できるという効果のある浴室換気空調装置用リモコンを提供することができる。
【００２２】
また、液晶表示部分の分割された各エリアのうち、あるエリアは運転詳細設定スイッチにて選択可能な項目を表示させ、運転詳細設定スイッチを押すことによりいずれかの項目を選択でき、また別のあるエリアは現在の詳細設定項目のみを表示させ、転詳細設定スイッチを押すことにより詳細設定項目表示が順次切り換わることにより、液晶表示部分の各エリアごとに運転詳細設定スイッチにて選択可能な項目の表示方法を変えることができ、選択項目数や目的に応じて各エリアごとに表示方法を選択でき、運転詳細設定を容易にすることができるという効果のある浴室換気空調装置用リモコンを提供することができる。
【００２３】
また、運転モード選択スイッチにより、選択した運転モードによって液晶表示部分の分割された各エリアに表示させる内容を変更することにより、運転モードによって異なるさまざまな運転詳細設定をそれぞれの運転モードに対応した表示で液晶表示部の各エリアに表示することができ、運転詳細設定を容易にすることができるという効果のある浴室換気空調装置用リモコンを提供することができる。
【００２４】
また、運転詳細設定スイッチにより選択された液晶表示部分の各エリアに表示している選択項目を、ハイライト表示や反転表示などの強調表示を行なうことにより、リモコン操作者が自ら選択した項目を容易に認識でき、確実に目的の設定を行なうことができるという効果のある浴室換気空調装置用リモコンを提供することができる。
【００２５】
また、運転モード選択スイッチおよび運転詳細設定スイッチへの入力操作が行なわれると同時に液晶表示部分のバックライトが点灯することにより、リモコン操作時の液晶表示部分の視認性が向上し、よりリモコン操作がし易くなるという効果のある浴室換気空調装置用リモコンを提供することができる。
【００２６】
また、運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する選択内容表示モードに移行することにより、リモコン操作者が設定した運転状態を液晶表示部分を最大限に使用して表示し、設定内容を明確に表示することができるという効果のある浴室換気空調装置用リモコンを提供することができる。
【００２７】
また、運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する運転状態表示モードに移行し、さらに一定時間リモコンへの入力操作が無かった場合には液晶表示部分のバックライトを消灯することにより、消費電力を削減できるという効果のある浴室換気空調装置用リモコンを提供することができる。
【００２８】
また、切スイッチ入力時や切タイマー機能により運転が停止された場合、液晶表示部分の表示が運転状態表示モードから待機モードへ移行することにより、浴室換気空調装置が停止していることを明確にするとともに、消費電力を削減できるという効果のある浴室換気空調装置用リモコンを提供することができる。
【発明を実施するための最良の形態】
【００２９】
本発明の請求項１記載の浴室換気空調装置用リモコンは、浴室等を空調する換気空調装置において、本体の運転状態の表示や運転設定を確認するための液晶表示部分と、運転モードを選択するための運転モード選択スイッチと、各運転モードにおける詳細な運転設定を行なうための運転詳細設定スイッチと、運転を停止するための切スイッチとを備えたものであり、運転モード選択スイッチを押すことで液晶表示部分に選択した運転モードを表示するとともに、選択された運転モードにて選択可能な詳細運転設定を表示でき、また、運転詳細設定スイッチを押すことにより各運転モードにおける詳細設定を行なうという作用を有する。
【００３０】
また、液晶表示部分を、複数のエリアに分割し、それぞれのエリアに運転詳細設定の項目を割り付けて表示するようにしたものであり、各エリアにて各項目の設定を行なうという作用を有する。
【００３１】
また、運転詳細設定スイッチを、液晶表示部分の分割された各エリアに対応させて配置したものであり、複数のエリアに分割された液晶表示部分に一対一で対応させた運転詳細設定スイッチを配置し、各エリアの運転詳細設定を各エリアに対応した運転詳細設定スイッチするという作用を有する。
【００３２】
また、各エリアに、運転詳細設定スイッチにて選択可能な項目を表示させ、運転詳細設定スイッチを押すことにより液晶表示部分に表示されているいずれかの項目を選択できるとしたものであり、リモコンの操作者に選択可能な項目を認識させ、運転詳細設定スイッチを押すことにより液晶表示部分に表示されているいずれかの項目を選択するという作用を有する。
【００３３】
また、各エリアに、現在の詳細設定項目のみを表示させ、運転詳細設定スイッチを押すことにより詳細設定項目表示が順次切り換わるものであり、リモコンの操作者に選択可能な項目を認識させ、その中のいずれかの項目を選択するという作用を有する。
【００３４】
また、液晶表示部分の分割された各エリアのうち、あるエリアは運転詳細設定スイッチにて選択可能な項目を表示させ、運転詳細設定スイッチを押すことによりいずれかの項目を選択でき、また別のあるエリアは現在の詳細設定項目のみを表示させ、転詳細設定スイッチを押すことにより詳細設定項目表示が順次切り換わるものであり、液晶表示部分のあるエリアに運転詳細設定スイッチにて選択可能な項目を表示させることでリモコンの操作者に選択可能な項目を認識させ、運転詳細設定スイッチを押すことにより液晶表示部分に表示されているいずれかの項目を選択し、液晶表示部分のあるエリアには現在の詳細設定項目のみを表示させ、運転詳細設定スイッチを押すことにより詳細設定項目表示が順次切り換わることによりリモコンの操作者に選択可能な項目を認識させ、その中のいずれかの項目を選択するという作用を有する。
【００３５】
また、運転モード選択スイッチにより、選択した運転モードによって液晶表示部分の分割された各エリアに表示させる内容を変更するものであり、浴室換気空調装置の運転モードによって詳細設定可能な項目が異なる場合、運転モードによって液晶表示部の分割された各エリアに表示させる内容を変更するという作用を有する。
【００３６】
また、運転詳細設定スイッチにより選択された液晶表示部分の各エリアに表示している選択項目を、ハイライト表示や反転表示などの強調表示を行なうものであり、リモコン操作者が自ら選択した項目を容易に認識させるという作用を有する。
【００３７】
また、運転モード選択スイッチおよび運転詳細設定スイッチへの入力操作が行なわれると同時に液晶表示部分のバックライトが点灯するものであり、リモコン操作時の液晶表示部分の視認性を向上させるという作用を有する。
【００３８】
また、運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する選択内容表示モードに移行するものであり、運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する選択内容表示モードに移行することにより、リモコン操作者が設定した運転状態を液晶表示部分を最大限に使用して表示するという作用を有する。
【００３９】
また、運転モード選択スイッチおよび運転詳細設定スイッチへの入力操作が一定時間無かった場合、液晶表示部分のエリア分割を解除し、その時点で選択されている運転モードおよび各詳細設定を液晶表示部分に拡大表示する運転状態表示モードに移行し、さらに一定時間リモコンへの入力操作が無かった場合には液晶表示部分のバックライトを消灯するものであり、消費電力を削減させるという作用を有する。
【００４０】
また、切スイッチ入力時や切タイマー機能により運転が停止された場合、液晶表示部分の表示が運転状態表示モードから待機モードへ移行するものであり、浴室換気空調装置が停止していることを明確にするとともに、消費電力を削減させるという作用を有する。
【００４１】
以下、本発明の実施の形態について、図面を参照しながら説明する。
【００４２】
（実施の形態１）
図１に示すように、浴室等を空調する換気空調装置のリモコンにおいて、本体の運転状態の表示や運転設定を確認するための液晶表示部分１と、運転モードを選択するための運転モード選択スイッチ２と、各運転モードにおける詳細な運転設定を行なうための運転詳細設定スイッチ３と、運転を停止するための切スイッチ４とを備えた構成とする。
【００４３】
上記構成により、運転モード選択スイッチ２を押すことで液晶表示部分１の運転モード表示部５に選択した運転モードを表示するとともに、選択された運転モードにて選択可能な詳細運転設定を表示でき、また、運転詳細設定スイッチ３を押すことにより各運転モードにおける詳細設定を行なう。
【００４４】
また、液晶表示部分１を複数のエリアに分割し、それぞれのエリアに運転詳細設定の項目を部屋選択エリア６、能力設定エリア７、風向設定エリア８、タイマー設定エリア９のように割り付けて表示するようにした構成とする。
【００４５】
上記構成により、各エリアにて各項目の設定を行なう。
【００４６】
また、運転詳細設定スイッチ３を液晶表示部分１の分割された各エリアに対応させて配置した構成とする。
【００４７】
上記構成により、複数のエリアに分割された液晶表示部分１に一対一で対応させた運転詳細設定スイッチ３を配置し、各エリアの運転詳細設定を各エリアに対応した運転詳細設定スイッチ３を押すことにより詳細な運転設定を行なう。
【００４８】
また、液晶表示部分１の分割された各エリアに運転詳細設定スイッチ３にて選択可能な項目を表示させ、運転詳細設定スイッチ３を押すことにより液晶表示部分１に表示されているいずれかの項目を選択できる構成とする。選択した項目は反転表示や点滅表示等により視認性を高める。
【００４９】
上記構成により、リモコンの操作者に選択可能な項目を認識させ、運転詳細設定スイッチ３を押すことにより液晶表示部分１に表示されているいずれかの項目を選択する。
【００５０】
また、液晶表示部分１の分割された各エリアに現在の詳細設定項目のみを表示させ、運転詳細設定スイッチ３を押すことにより詳細設定項目表示が順次切り換わる構成とする。
【００５１】
上記構成により、リモコンの操作者に選択可能な項目を認識させ、その中のいずれかの項目を選択する。
【００５２】
また、液晶表示部分１の分割されたあるエリアには運転詳細設定スイッチ３にて選択可能な項目を表示させ、運転詳細設定スイッチ３を押すことによりいずれかの項目を選択でき、また液晶表示部分１の分割された別のあるエリアには現在の詳細設定項目のみを表示させ、運転詳細設定スイッチ３を押すことにより詳細設定項目表示が順次切り換わる構成とする。
【００５３】
上記構成により、液晶表示部分１のあるエリアに運転詳細設定スイッチ３にて選択可能な項目を表示させることでリモコンの操作者に選択可能な項目を認識させ、運転詳細設定スイッチ３を押すことにより液晶表示部分１に表示されているいずれかの項目を選択し、液晶表示部分１のあるエリアには現在の詳細設定項目のみを表示させ、運転詳細設定スイッチ３を押すことにより詳細設定項目表示が順次切り換わることによりリモコンの操作者に選択可能な項目を認識させ、その中のいずれかの項目を選択する。
【００５４】
このように、本発明の実施の形態１の浴室換気空調装置用リモコンによれば、運転モード選択スイッチ２を押すことで液晶表示部分１に選択した運転モードを表示するとともに、選択された運転モードにて選択可能な詳細運転設定を表示でき、また、運転詳細設定スイッチ３を押すことにより各運転モードにおける詳細設定を容易に行なうことが可能となり、また各エリアに各項目の設定が対応しており容易に設定を行なうことができ、また複数のエリアに分割された液晶表示部分１に一対一で対応させた運転詳細設定スイッチ３を配置することにより、各エリアの運転詳細設定を各エリアに対応した運転詳細設定スイッチ３ででき、運転詳細設定操作が容易になり、またリモコンの操作者に選択可能な項目を認識させることができ、運転詳細設定スイッチ３を押すことにより液晶表示部分１に表示されているいずれかの項目を容易に選択でき、またリモコンの操作者に選択可能な項目を認識させることができ、その中のいずれかの項目を容易に選択でき、また液晶表示部分１の各エリアごとに運転詳細設定スイッチ３にて選択可能な項目の表示方法を変えることができ、選択項目数や目的に応じて各エリアごとに表示方法を選択でき、運転詳細設定を容易にすることができることとなる。
【００５５】
（実施の形態２）
図２に示すように、運転モード選択スイッチ２により、選択した運転モードによって液晶表示部分１の分割された各エリアに表示させる内容を変更する構成とする。図２においてはミストモード時の液晶表示部分１のミスト設定エリア１０について、暖房モード時における部屋選択エリア６、能力設定エリア７とは異なる表示を行なっている。
【００５６】
上記構成により、浴室換気空調装置の運転モードによって詳細設定可能な項目が異なる場合、運転モードによって液晶表示部分１の分割された各エリアに表示させる内容を変更する。
【００５７】
また、運転詳細設定スイッチ３により選択された液晶表示部分１の各エリアに表示している選択項目１１を、ハイライト表示や反転表示などの強調表示を行なう構成とする。
【００５８】
上記構成により、リモコン操作者が自ら選択した項目を容易に認識させる。
【００５９】
また、運転モード選択スイッチ２および運転詳細設定スイッチ３への入力操作が行なわれると同時に液晶表示部分１のバックライトが点灯する構成とする。
【００６０】
上記構成により、リモコン操作時の液晶表示部分の視認性を向上させる。
【００６１】
このように、本発明の実施の形態２の浴室換気空調装置用リモコンによれば、運転モードによって異なるさまざまな運転詳細設定をそれぞれの運転モードに対応した表示で液晶表示部分１の各エリアに表示することができ、運転詳細設定を容易にすることができ、またリモコン操作者が自ら選択した項目を容易に認識でき、確実に目的の設定を行なうことができ、またリモコン操作時の液晶表示部分１の視認性が向上し、よりリモコン操作がし易くなることとなる。
【００６２】
（実施の形態３）
図３に示すように、運転モード選択スイッチ２および運転詳細設定スイッチ３への入力操作が一定時間無かった場合、液晶表示部分１のエリア分割を解除し、その時点で選択されている運転モードおよび各詳細設定を液晶表示部分１に拡大表示する設定内容表示モード１２に移行する構成とする。
【００６３】
上記構成により、運転モード選択スイッチ２および運転詳細設定スイッチ３への入力操作が一定時間無かった場合、液晶表示部分１のエリア分割を解除し、その時点で選択されている運転モードおよび各詳細設定を液晶表示部分に拡大表示する選択内容表示モードに移行することにより、リモコン操作者が設定した運転状態を液晶表示部分１を最大限に使用して表示する。
【００６４】
また、運転モード選択スイッチ２および運転詳細設定スイッチ３への入力操作が一定時間無かった場合、液晶表示部分１のエリア分割を解除し、その時点で選択されている運転モードおよび各詳細設定を液晶表示部分１に拡大表示する運転状態表示モードに移行し、さらに一定時間リモコンへの入力操作が無かった場合には液晶表示部分１のバックライトを消灯する構成とする。
【００６５】
上記構成により、リモコンの操作を行なわない場合の消費電力を削減させる。
【００６６】
このように本発明の実施の形態３の浴室換気空調装置用リモコンによれば、リモコン操作者が設定した運転状態を液晶表示部分１を最大限に使用して表示し、設定内容を明確に表示することができ、また消費電力を削減できることとなる。
【００６７】
（実施の形態４）
図４に示すように、切スイッチ４入力時や切タイマー機能により運転が停止された場合、液晶表示部分１の表示が運転状態表示モードから待機モード１３へ移行する構成とする。
【００６８】
上記構成により、浴室換気空調装置が停止していることを明確にするとともに、消費電力を削減させる。
【００６９】
このように本発明の実施の形態４の浴室換気空調装置用リモコンによれば、浴室換気空調装置が停止していることを明確にするとともに、消費電力を削減できることとなる。
【００７０】
なお、以上説明した内容は、発明を実施するための一形態についてのみ説明したものであり、本発明は上記の実施の形態に限定されるものではない。
【００７１】
例えば、本実施の形態では運転モード選択スイッチには暖房、ミスト、換気、涼風、乾燥の機能を持たせているが、これに限ったものではなく、製品の仕様により機能を追加したり、機能を削除した構成においてもその作用効果に差異を生じない。
【００７２】
また、本実施の形態では液晶表示部分をフルドット液晶を用いた構成として説明を行なったが、キャラクター表示の液晶を用いた構成にすることも可能でありその作用効果に差異を生じない。
【００７３】
また、本実施の形態では温度表示を温度計を模った液晶表示にて表示しているが、これに限ったものではなく数値にて表示する等の構成にしてもその作用効果に差異を生じない。
【産業上の利用可能性】
【００７４】
本発明にかかる浴室換気空調装置用リモコンは、スイッチの数を減らして液晶表示部分を大きくすることにより、操作性を向上するとともに、リモコン操作者への視認性を向上させることができるものであり、省エネルギーを図ることができることにも有用である。
【図面の簡単な説明】
【００７５】
【図１】本発明の実施の形態１の浴室換気空調装置用リモコンの暖房モードの詳細設定モードを示す図
【図２】本発明の実施の形態２の浴室換気空調装置用リモコンのミストモードの詳細設定モードを示す図
【図３】本発明の実施の形態３の浴室換気空調装置用リモコンの設定内容表示状態を示す図
【図４】本発明の実施の形態４の浴室換気空調装置用リモコンの待機状態を示す図
【符号の説明】
【００７６】
１    液晶表示部分
２    運転モード選択スイッチ
３    運転詳細設定スイッチ
４    切スイッチ
５    運転モード表示部
６    部屋選択エリア
７    能力設定エリア
８    風向設定エリア
９    タイマー設定エリア
１０  ミスト設定エリア
１１  選択項目
１２  設定内容表示モード
１３  待機モード
【図１】
2009276037.tif 000003
【図２】
2009276037.tif 000004
【図３】
2009276037.tif 000005
【図４】
2009276037.tif 000006